(57)【要約】  蛍光体増強照明装置１００、レトロフィット電球、管電球、及び照明器具が提供される。蛍光体増強照明装置１００は、光源１１６、光出口窓１０２、第一光変換素子１１２、及び第二光変換素子１１０を有する。光源１１６は、発光面１１８を通して予め定められた色スペクトルの光源光１１４を出射する。光出口窓１０２は、蛍光体増強照明装置１００の周囲に光を出射する。第一光変換素子１１２は、光源光１１４の一部を吸収し、吸収光の一部を第一の色の光１０４に変換する無機発光体を含む。第二光変換素子１１０は、光源光１１４の一部及び／又は第一の色の光１０４の一部を吸収する第一の有機発光体を含む。第一の有機発光体は、吸収光の一部を第二の色の光１０８に変換する。第二光変換素子１１０は、光学的に、光出口窓１０２と光源１１６の発光面１１８との間に配置される。第一光変換素子１１２は、光学的に、第二光変換素子１１０と光源１１６の発光面１１８との間に配置される。第一光変換素子１１２と第二光変換素子１１０との間には、ギャップ１１１が存在する。
2014514773.tif 000002
【特許請求の範囲】
【請求項１】
予め定められた色スペクトルの光源光を出射するための発光面を有する光源と、
蛍光体増強照明装置の周囲に光を出射するための光出口窓と、
前記光源光の一部を吸収し、当該吸収された光の一部を第一の色の光に変換する無機発光体を含む第一光変換素子と、
前記光源光の一部及び／又は前記第一の色の前記光の一部を吸収し、当該吸収された光の一部を第二の色の光に変換する第一の有機発光体を含む第二光変換素子とを備え、
前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在する、蛍光体増強照明装置。
【請求項２】
前記第一光変換素子は、前記光出口窓に周囲光が衝突する場合に周囲光が衝突する第一の表面を有し、
前記第二光変換素子は、前記光出口窓に周囲光が衝突する場合に周囲光が衝突する第二の表面を有し、
前記第一の表面は、前記第二の表面より小さい、請求項１に記載の蛍光体増強照明装置。
【請求項３】
前記第一光変換素子は、前記光源の近傍に配置される、請求項１又は２に記載の蛍光体増強照明装置。
【請求項４】
前記第一光変換素子は、前記光源の前記発光面上に配置される、請求項１に記載の蛍光体増強照明装置。
【請求項５】
前記光源は、青色発光ダイオードであり、
前記無機発光体は、黄色又は黄緑色無機蛍光体であり、
動作時に光源光と前記第一の色の光との組み合わせである、前記光出口窓からの発光は、１０，０００Ｋより高い相関色温度を有し、色空間内において、当該色空間内の黒体線に近い又は黒体線上のカラーポイントを有する、請求項４に記載の蛍光体増強照明装置。
【請求項６】
前記光源と、前記第一光変換素子が配置される前記発光面との組み合わせは、８０％より大きい光学パッケージ効率を有する、請求項４又は５に記載の蛍光体増強照明装置。
【請求項７】
前記第二光変換素子は、第二の屈折率を有し、
前記ギャップを形成する物質は、前記第二の屈折率より小さい第一の屈折率を有する、請求項１に記載の蛍光体増強照明装置。
【請求項８】
前記第二光変換素子は、前記光出口窓に配置されるか、又は、前記第二光変換素子は、前記光出口窓を形成する、請求項１に記載の蛍光体増強照明装置。
【請求項９】
前記光源は、ソリッドステートの発光素子である、請求項１に記載の蛍光体増強照明装置。
【請求項１０】
前記第一光変換素子と、前記第二光変換素子とのうちの少なくとも一つは層である、請求項１に記載の蛍光体増強照明装置。
【請求項１１】
前記第二光変換素子は、前記光源光の一部、前記第一の色の光の一部、及び／又は前記第二の色の光の一部を吸収し、当該吸収された光の一部を、第三の色の光に変換する第二の有機発光体を含む、蛍光体増強照明装置。
【請求項１２】
前記第二光変換素子は、前記第一の有機発光体を含み前記第二の有機発光体を含まない第一の層、及び、前記第二の有機発光体を含み前記第一の有機発光体を含まない第二の層を含む複数の層のスタックである、請求項１１に記載の蛍光体増強照明装置。
【請求項１３】
光学的に、前記光出口窓と前記第二光変換素子との間に配置される散乱層を有するか、又は、前記第二光変換素子が散乱粒子を含む、請求項１に記載の蛍光体増強照明装置。
【請求項１４】
請求項１に記載の蛍光体増強照明装置を有する、レトロフィット電球又は管電球。
【請求項１５】
請求項１に記載の蛍光体増強照明装置、又は、請求項１４に記載のレトロフィット電球若しくは管電球を有する、照明器具。
【発明の詳細な説明】
【技術分野】
【０００１】
本発明は、有機発光体（ルミネッセンス）を含む、蛍光体増強照明装置に関する。
【背景技術】
【０００２】
国際公開公報ＷＯ２０１０／１１６２９４は、無機発光体を含む層と、有機発光体を含む層とを有するスタックが、いわゆる直接蛍光体構成、又は、いわゆるリモート蛍光体構成で配置される蛍光体増強光源を開示する。直接蛍光体構成においては、異なる発光体を含む層からなるスタックは、光源の発光面上に直接つけられる。リモート蛍光体構成においては、光源の発光面と、発光体を含む層からなるスタックとの間にはギャップがある、言い換えれば、発光体を含む層からなるスタックは、光源から特定の距離をおいて配置される。
【０００３】
上記引用特許出願の実施形態の発光層からなるスタックにおいては、観察者が蛍光体増強光源を見る方向のスタックの面に、有機発光体を含む層が配置される。無機発光体を含む層は、スタックの光源の発光面に最も近い面に配置される。有機発光性分子はもともと透明であるため、有機発光体を含む層は、多くの場合、比較的透明である。観察者は、有機発光体を含む面に色を見ない。しかし、無機発光体を含む層内の無機発光粒子が散乱物質として作用し、光を全方向に反射する。このため、周囲（環境）からの光が発光体に衝突すると、無機発光体の吸収スペクトルの光がいくらか吸収され、吸収されない光は反射及び／又は散乱され、結果として、無機発光体の吸収スペクトルの色の補色を呈することになる。この補色は、発光層からなるスタックのほうを見る観察者によって観察される。これは、「カラー外観」と呼ばれ、層が特定の色を有するように見えることを意味する。観察者にとって、蛍光体増強光源が、無機発光体によって発生される光の特定の色を有するように見えるため、カラー外観を呈することは、多くの用途において望ましくない。例えば、ある無機発光体が青色域内の吸収スペクトルを有する場合、この無機発光体のカラー外観は、橙色／黄色になる。
【０００４】
また、引用特許出願の光源は、典型的には相関色温度が２７００〜６０００Ｋの範囲の光を発さなければならず、典型的には青色発光ダイオード（Ｌｉｇｈｔ  Ｅｍｉｔｔｉｎｇ  Ｄｉｏｄｅ：ＬＥＤ）を有する。この相関色温度を得るためには、比較的多量の青色光がより長波長の光に変換されなければならない。青色光のより長波長の色への変換は、無機発光体によって行われるため、比較的多量の無機発光体を使用する必要があり、結果としてより強いカラー外観を呈する。
【０００５】
なお、無機発光体の代わりに有機発光体を使用してもよいことが知られている。しかし、十分に高い演色評価数を得るために、有機発光体と無機発光体との組み合わせを用いなければならない場合がある。
【発明の概要】
【発明が解決しようとする課題】
【０００６】
本発明の目的は、カラー外観が低減された蛍光体増強照明装置を提供することである。
【０００７】
本発明の第一の側面は、請求項１に係る蛍光体増強照明装置を提供する。本発明の第二の側面、第三の側面は、それぞれ請求項１４に係るレトロフィット電球及び管電球を提供する。本発明の第四の側面は、請求項１５に係る照明器具を提供する。好適な実施形態は、従属請求項において規定される。
【０００８】
本発明の第一の側面に係る蛍光体増強照明装置は、光源、光出口窓、第一光変換素子、及び第二光変換素子を有する。光源は、発光面を通して、予め定められた色スペクトルの光源光を出射する。光出口窓は、作動中、蛍光体増強照明装置の周囲に光を出射する。第一光変換素子は、無機発光体を含む。無機発光体は、光源光の一部を吸収し、吸収された光の一部を第一の色の光に変換する。第二光変換素子は、第一の有機発光体を含む。第一の有機発光体は、光源光の一部及び／又は第一の色の光の一部を吸収する。第一の有機発光体は、吸収された光の一部を第二の色の光に変換する。第二光変換素子は、光学的に、光出口窓と光源の発光面との間に配置される。第一光変換素子は、光学的に、第二光変換素子と光源の発光面との間に配置される。第一光変換素子と第二光変換素子との間には、ギャップが存在する。
【０００９】
発明者らは、第一光変換素子が第二光変換素子より光出口窓から遠くに配置されるよう、第一光変換素子と第二光変換素子との間にギャップが存在すれば、カラー外観が減少することを発見した。ギャップの効果は、第二光変換素子と直接接触する第一光変換素子の構造に比べ、第一光変換素子が受ける光が少なくなるというものである。結果として、無機発光体によって吸収される光は少なくなり、カラー外観は低減する。第二光変換素子とギャップとの間の界面は、光出口窓の法線に対して比較的大きな角度で衝突する光を反射し、したがって第一光変換素子が受ける光は少なくなる。
【００１０】
第一光変換素子と第二光変換素子との間のギャップの存在は、第一光変換素子と第二光変換素子とが直接接触していないことを意味する。他の光透過物質、例えば空気や水が第一光変換素子と第二光変換素子との間にあってもよいが、他の実施形態においては、ギャップは真空でもよい。
【００１１】
なお、カラー外観は、光源が作動していない、すなわち、光源が予め定められた色分布の光を発していない状況に主に関係し、また、周囲の光が、光源によって出射される光よりはるかに高い強度を有する状況に多少関係しうる。蛍光体増強照明装置の光源が光を発している場合、蛍光体増強照明装置の方を見る人は、その蛍光体増強照明装置が発することを目的として特異的に設計された色の発光を見る。蛍光体増強照明装置の発光によって経験される光は、作動中は、光源によって発せられる予め定められた色分布の光、第一変換素子によって発せられる第一の色の光、及び第二光変換素子によって発せられる第二の色の光の特定の組み合わせである。しかし、蛍光体増強照明装置に衝突する周囲光が、光源によって発せられる光よりもはるかに強い場合、例えば、蛍光体増強照明装置に直射日光が衝突する状況においては、無機発光体による直射日光の反射が優勢になる可能性があり、これにより、観察者は無機発光体のカラー外観を見る。
【００１２】
また、「光学的に〜と〜との間に」は、第一の要素と第二の要素との間に配置された特定の要素が、第一の要素から第二の要素及びその逆の光路内に配置されていることを意味する。このような光路は、定義として第一の要素から第二の要素への直線状をたどるだけではなく、光路は、光路上の鏡のために曲がり角を有してもよい。
【００１３】
本発明のコンテキストにおいて、予め定められた色分布の光、第一の色の光、及び／又は第二の色の光は、一般的には予め定められたスペクトルの光を含む。予め定められたスペクトルは、例えば、予め定められた波長周辺の特定のバンド幅を有するある原色を含んでもよいし、例えば、複数の原色を含んでもよい。予め定められた波長は、放射力スペクトル分布の平均波長である。原色の光は、例えば、赤色、緑色、青色、黄色、及び琥珀色光を含む。予め定められた色分布、第一の色及び／又は第二の色の光は、青色と琥珀色、又は青色と黄色と赤色等、原色の混合色を含んでもよい。
【００１４】
一実施形態においては、第一光変換素子は、光出口窓に周囲光が衝突する場合に周囲光が衝突する第一の表面を有する。第二光変換素子は、光出口窓に周囲光が衝突する場合に周囲光が衝突する第二の表面を有する。第一の表面は、第二の表面より小さい。第一光変換素子が光源により近く配置された場合、光源によって放射される光線の断面は、第二光変換素子の位置における光線の断面より小さい。したがって、第一光変換素子は、第二光変換素子より小さいサイズを有しうる。したがって、第一光変換素子の第一の表面は、第二光変換素子の第二の表面よりも小さい。小さい第一の表面を有することは、吸収される周囲光がより少なく、したがって、カラー外観が低減されることを意味する。
【００１５】
他の実施形態においては、第一光変換素子は、光源の近傍に配置される。光源の近傍にとは、光路沿いの、光源と第一光変換素子との間の距離が、光路沿いの、発光源と第二光変換素子との間の距離よりはるかに小さいことを意味する。例えば、光源から光出口窓への光路において、光源から第一光変換素子までの距離は、光源から第二光変換素子までの距離の２０％より小さい。第一光変換素子が光源の近くにある場合、第一光変換素子のサイズは比較的小さくすることができ、したがって、周囲からの光が衝突しうる第一変換素子の表面は比較的小さく、カラー外観は見えづらくなる。
【００１６】
一実施形態において、第一光変換素子は、光源の発光面上に配置されている。
【００１７】
他の実施形態において、第一光変換素子は、光源の発光面を完全に覆う。
【００１８】
光源の発光面は、多くの場合、光出口窓よりはるかに小さく、このため、光源によって生成された全光線が依然として第一発光素子を通過する一方で、第一光変換素子は、比較的小さいサイズを有することができる。比較的小さいサイズを有すると、第一光変換素子によって吸収される周囲光の量が少なくなり、蛍光体増強照明装置のカラー外観が低減するため、有利である。
【００１９】
他の実施形態においては、光源は、青色光を発する発光ダイオードである。無機発光体は、黄色又は黄緑色無機蛍光体である。動作時に、光源光と第一光変換素子によって生成される第一の色の光との組み合わせである発光は、１００００Ｋより高い相関色温度を有し、色空間内において、当該色空間内の黒体線に近い又は黒体線上のカラーポイントを有する。黒体線は、特定の温度を有する理想黒体の発光に対応する、色空間内におけるカラーポイントの連続である。色温度は、理想黒体の温度である。放たれた光の相関色温度が１００００Ｋより高く、色温度が黒体線に近い場合、人は光の色を白色又はわずかに青味がかった色として感じる。青色光を発する光源、及び、黄色又は黄緑色無機発光体（フォスファ）を含む第一光変換素子の発光の合体が１００００Ｋより高い相関色温度を有し、黒体線に近いカラーポイントを有するように第一光変換素子を発光ダイオード上に配置することは、比較的簡単である。青色発光ダイオードは、比較的安価で入手可能である。また、第一光変換素子は、比較的少量の黄色又は黄緑糸無機蛍光体を必要とし、第一光変換素子の価格も比較的低い。さらに、比較的少量の無機蛍光体の使用は、カラー外観の低減につながる。
【００２０】
他の実施形態においては、光源と、第一光変換素子が配置される発光面との組み合わせは、８０％より大きい光学パッケージ効率を有する。
【００２１】
光学パッケージ効率は、光源によって発せられる光子の量と、光源と第一光変換素子との組み合わせの周囲へ発する光子の量とのパーセントとして定義される。また、上記パーセントを無機発光体の量子効率で割り、無機発光体の量子効率に関して光学パッケージ効率を補正しなければならない。無機発光体の量子効率は、無機発光体によって発せられる光子の量と、無機発光体によって吸収される光子の量との比として定義される。「パッケージ」という用語は、光源と第一光変換素子との組み合わせを指す。
【００２２】
第一光変換素子は、光源から受ける光のいくらかを反射して光源に戻してもよい。また、第一光変換素子によって生成された光のいくらかは、光源の方向に出射されてもよい。多数の光源、例えば、ソリッドステートの発光素子は、自身に衝突する光の比較的大部分を吸収する。光の吸収は、より低い光学パッケージ効率をもたらす。特定量の光を生成するために必要とする電力が少なく、光源の温度が光の吸収によって上昇されないため、比較的高い光学効率を有すると有利である。
【００２３】
第一光変換素子の無機発光体の特徴（例えば、吸収スペクトルや発光スペクトル）、第一光変換素子全体としての散乱及び反射特徴、及び、例えば第一光変換素子の厚さは、光源と第一光変換素子との組み合わせの光学パッケージ効率を決定する。さらに、光源の特徴、例えば光源の吸収係数等も、光学パッケージ効率に影響を与える。
【００２４】
他の実施形態においては、光源と第一光変換素子との組み合わせの光学パッケージ効率は、９０％より大きくてもよい。
【００２５】
他の実施形態においては、第二光変換素子は、第二の屈折率を有する。ギャップを形成する物質は、第二の屈折率より小さい第一の屈折率を有する。
【００２６】
したがって、第二光変換素子とギャップとの間の界面は、第二光変換素子からギャップの方向に通過する光を部分的に反射する。この方向に通過する光は、蛍光体増強照明装置の光出口窓に衝突する周囲光でありうる。特に、周囲光が比較的散乱（拡散）している場合、光はあらゆる角度で光出口窓に衝突し、またしたがって、第二光変換素子とギャップとの界面でも複数の角度で衝突する。この界面の法線に対して比較的大きい角度で衝突する光は、内面反射する。このため、蛍光体増強照明装置の光出口窓に衝突する周囲からの光のうち、第一光変換素子に向かって通過する光は少なく、したがって、第一光変換素子のカラー外観は制限される。
【００２７】
一実施形態においては、ギャップは、流体で充填される。流体の例は、空気等のガスや水等の液体である。
【００２８】
一実施形態においては、第二光変換素子は、光出口窓に配置される。
【００２９】
他の実施形態においては、第二光変換素子は、光出口窓を形成する。
【００３０】
他の実施形態においては、光源は、ソリッドステートの発光素子である。ソリッドステートの発光素子は、比較的効率がよく（多量の電気エネルギーを光に変換する）、比較的サイズが小さく、比較的安価なので、ソリッドステートの発光素子の使用は有利である。ソリッドステートの発光素子は、発光ダイオード（Ｌｉｇｈｔ  Ｅｍｉｔｔｉｎｇ  Ｄｉｏｄｅ（ＬＥＤ））、有機発光ダイオード（Ｏｒｇａｎｉｃ  ＬＥＤ（ＯＬＥＤ））、ポリマー発光ダイオード（Ｐｏｌｙｍｅｒ  ＬＥＤ（ＰＬＥＤ））、又はレーザーダイオードであってもよい。実践的な実施形態においては、ソリッドステートの発光素子は、青色光を発する。
【００３１】
一実施形態においては、第一光変換素子と第二光変換素子とのうちの少なくとも一方は層である。層は、層の厚さが、少なくとも層の幅又は深さの二分の一より小さいという特性によって定義される。したがって、「層」という用語は「コーティング」、「フィルム」、又は「タイル」とも解されうる。層は、比較的簡単に製造できるため、特定の発光物質を含む層を用いることで、蛍光体増強照明装置のコストを低減することができる。また、層は必ずしも平板状でなくともよいことに留意されたい。層は、曲面形状を有してもよく、又は、半球形状を有してもよい。
【００３２】
一実施形態においては、第二光変換素子は、第二の有機発光体を含む。第二の有機発光体は、光源光の一部、及び／又は第一の色の光一部、及び／又は第二の色の光の一部を吸収するように構成されている。また、第二の有機発光体は、吸収光の一部を第三の色の光に変換するように構成されている。追加の有機発光体の使用は、特定の発光分布を有する蛍光体増強照明装置を得るための追加設計パラメータを提供する。第二の有機発光体によって生成される光は、蛍光体増強照明装置よる発光の色を色空間内の特定のカラーポイントにシフトするため、及び、より高い演色評価数を得るために用いられてもよい。
【００３３】
他の実施形態においては、第二光変換素子は、第一の層と第二の層とを含む複数層のスタックである。第一の層は第一の有機発光体を含み、第二の有機発光体を含まない。第二の層は第二の有機発光体を含み、第一の有機発光体を含まない。したがって、第二光変換素子は、それぞれ単一の（有機）発光物質しか含まない層を含む。別個の層からなるスタックは、高精度且つ比較的安価で製造することができるため、第二変換素子をこのような構造で製造することは有利である。なお、他の実施形態においては、第一の有機発光体と第二の有機発光体とが混合されて単一の層内に備えられてもよい。
【００３４】
一実施形態においては、蛍光体増強照明装置は、光学的に光出口窓と第二光変換素子との間に配置された散乱層を有する。他の実施形態においては、第二光変換素子は、散乱粒子を含む。散乱層又は散乱粒子は、周囲から衝突する光を散乱し、周囲からの光の多くが第一光変換素子の方に通過することを防ぐ。したがって、散乱粒子又は散乱層によってカラー外観は低減される。光源が作動していないときに光出口窓の方を見る人は、散乱粒子又は散乱層によって散乱及び反射された周囲光を主に見る。
【００３５】
本発明の第二の側面によれば、本発明の第一の側面に係る蛍光体増強照明装置を備えるレトロフィット電球が提供される。
【００３６】
本発明の第三の側面によれば、本発明の第一の側面に係る蛍光体増強照明装置を備える管電球が提供される。
【００３７】
本発明の第四の側面によれば、本発明の第一の側面に係る蛍光体増強照明装置、本発明の第二の側面に係るレトロフィット電球、又は本発明の第三の側面に係る管電球を備える照明器具が提供される。
【００３８】
レトロフィット電球、管電球、及び照明器具は、本発明の第一の側面に係る蛍光体増強照明装置と同じ利益を提供し、対応する蛍光体増強照明装置の実施形態と類似する効果を有する類似する実施形態を有する。
【００３９】
本発明のこれら及びその他の側面は、以下に説明される実施形態から明らかであり、それらの実施形態を参照して説明される。
【００４０】
本発明の上記実施形態、実施、及び／又は側面の二つ又はそれ以上が、有用であると見なされるあらゆる方法で組み合わされうることは、当業者によって理解される。
【００４１】
説明された蛍光体増強照明装置の改良例及び変形例に対応するレトロフィット電球、管電球、及び照明器具の改良例及び変形例は、本明細書に基づき当業者によって実施できる。
【図面の簡単な説明】
【００４２】
【図１ａ】図１ａは、本発明の第一の側面に係る蛍光体増強照明装置の第一実施形態の、作動中の断面図を概略的に示す。
【図１ｂ】図ｌｂは、作動中ではない第一実施形態の断面図を概略的に示す。
【図２ａ】図２ａは、蛍光体増強照明装置の第二の実施形態の断面図を概略的に示す。
【図２ｂ】図２ｂは、蛍光体増強照明装置の第三の実施形態の断面図を概略的に示す。
【図３ａ】図３ａは、直線ではない光路を有する蛍光体増強照明装置の実施形態の断面図を概略的に示す。
【図３ｂ】図３ｂは、直線ではない光路を有する蛍光体増強照明装置の実施形態の断面図を概略的に示す。
【図４ａ】図４ａは、蛍光体増強照明装置の第四の実施形態の断面図を概略的に示す。
【図４ｂ】図４ｂは、蛍光体増強照明装置の第五の実施形態の断面図を概略的に示す。
【図４ｃ】図４ｃは、蛍光体増強照明装置の第六の実施形態の断面図を概略的に示す。
【図５ａ】図５ａは、蛍光体増強照明装置の第七の実施形態の断面図を概略的に示す。
【図５ｂ】図５ｂは、蛍光体増強照明装置の第八の実施形態の断面図を概略的に示す。
【図６ａ】図６ａは、本発明の第二の側面に係るレトロフィット電球の実施形態の二つの断面図を概略的に示す。
【図６ｂ】図６ｂは、本発明の第三の側面に係る管電球の実施形態の二つの断面図を概略的に示す。
【図６ｃ】図６ｃは、本発明の第四の側面に係る照明器具を概略的に示す。
【００４３】
なお、異なる図で同じ参照番号によって示された項目は、同じ構造的特徴及び同じ機能を有するか、又は同じ信号である。そのような項目の機能及び／又は構造が説明された場合、発明の詳細な説明において、重複する説明の必要はない。
【００４４】
図は完全に図示的であり、縮尺通りではない。特に明瞭さのために、いくつかの寸法は強く誇張されている。
【発明を実施するための形態】
【００４５】
図１ａ、１ｂは、フォスファ（蛍光体又は燐光体）強化照明装置１００の第一の実施形態の断面図を示す。図ｌａは、光源１１６が作動中の蛍光体増強照明装置１００を概略的に示す。図ｌｂは、光源１１６が作動していない蛍光体増強照明装置１００を概略的に示す。
【００４６】
蛍光体増強照明装置１００は、蛍光体増強照明装置１００によって光が出射される光出口窓１０２を有する。蛍光体増強照明装置１００の周囲（環境）には、蛍光体増強照明装置１００の光出口窓１０２の方を見る観察者１０６が描かれている。蛍光体増強照明装置１００は、さらに光源１１６を有し、光源１１６は、作動中、図１ａの実施形態では光源１１６の上面である発光面１１８を通して予め定められた色の光１１４を発する。
【００４７】
蛍光体増強照明装置１００は、さらに第一光変換素子１１２、及び第二光変換素子１１０を備える。第一光変換素子１１２は、光源によって出射された光１１４の一部を吸収する無機発光体を含み、吸収された光の一部を、第一の色を有する光１０４に変換する。第二光変換素子は、第一の有機発光体を含む。第一の有機物質は、光源によって出射された光１１４を吸収し、さらに／又は第一光変換素子によって出射された光１０４を吸収する。第一の有機物質は、吸収された光を第二の色の光１０８に変換する。
【００４８】
第二光変換素子１１０は、光出口窓１０２と光源１１６との間に配置される。第一光変換素子１１２は、第二光変換素子１１０と光源１１６との間に配置される。第一光変換素子１１２と第二光変換素子１１０との間にはギャップ１１１があり、これは第一光変換素子１１２が第二光変換素子１１０と直接接触していないことを意味する。第一光変換素子１１２と第二光変換素子１１０との間には、他の物質が存在する。
【００４９】
したがって、光源１１６が作動中のとき、予め定められた色分布の光１１４は、まず第一光変換素子１１２を通過し、光の一部が第一の色の光１０４に変換される。次に、第二光変換素子１１０が第一の色の光１０４と、予め定められた色分布の光１１４とを受け、光の一部を第二の色の光１０８に変換する。光出口窓１０２からの発光は、予め決められた色分布の光１１４、第一の色の光１０４、及び第二の色の光１０８の特定の組み合わせである。この光１０４、１０８、１１４の組み合わせは、観察者１０６によって特定の色として感じられる、言い換えれば、光出口窓１０２からの発光は、色空間内、例えばＣＩＥｘｙｚ色空間内の特定のカラーポイントによってあらわすことができる。変換素子中に用いられる発光体の具体的な量、使用される発光体の特徴、及び光源１１６によって発せられる予め定められた色分布の特徴が、光出口窓１０２から出射される光のカラーポイントを決定する。
【００５０】
なお、第一光変換素子１１２は、例えばセラミック無機発光体が使用された場合は、無機発光体のみから構成されてもよく、又は、第一の無機物質は、ポリマー中に分散されてもよく（これはしばしばマトリックスポリマーと呼ばれる）、他の透光性物質中に分散されてもよい。第二光変換素子１１０の有機発光体は、多くの場合マトリックスポリマー又は他の物質中に分子的に溶解される。ポリマーマトリックスは、アクリレート（例えば、ポリメチルメタクリレート（ＰＭＭＡ））、ポリカーボネート、ポリスチレン、ポリエチレン、ポリエチレンテレフタレート、ポリエチレンナフタレート等のポリマー、並びにそれらの共重合体及び混合物から選択されてもよい。また、図ｌａにおいて、第一光変換素子１１２及び第二光変換素子１１０の断面は細長い長方形として描かれているが、これらは長方形、又はディスク状の層の断面であってもよい。ただし、変換素子１１０、１１２の形状は、これら以外の形状でもよい。
【００５１】
図ｌｂは、光源１１６が作動しておらず、周囲光１５０が、蛍光体増強照明装置１００の光出口窓口１０２に、光出口窓１０２の法線に対して複数の角度で衝突する状況を示す。現実的な状況においては、周囲光１５０は比較的散乱しており、光は光出口窓に複数の角度で衝突する。光出口窓１０２の法線に対して比較的小さい角度で衝突する周囲光１５０は、第二光変換素子を通過する。光出口窓１０２の法線に対して比較的大きい角度で衝突する周囲光１５０は、第二光変換素子１１０とギャップ１１１との間の界面１５２で反射され、したがって第一光変換素子１１２の方には通過しない。よって、衝突する周囲光１５０の一部だけしか第一光変換素子１１２まで通されない。第一光変換素子１１２の無機発光体は、無機発光体の吸収スペクトルに応じて、衝突する周囲光１５０のいくらかを吸収する。吸収されない光１５４は散乱され、光出口窓１０２の方に戻される。吸収されない光１５４は、第一光変換素子１１２の無機発光体の吸収スペクトルの光をあまり含まず、結果として、観察者１０６によって特定の色の光として感じられる。この特定の色は、蛍光体増強照明装置１００のカラー外観であり、無機発光体の吸収スペクトルの色に対して相補的である。
【００５２】
したがって、第一光変換素子１１２と第二光変換素子１１０との間にギャップ１１１を有さない蛍光体増強照明装置と比べると、図１の蛍光体増強照明装置のカラー外観は小さく、これは観察される色がより弱いことを意味する（よって、観察される色の飽和度が比較的低い）。
【００５３】
図２ａは、蛍光体増強照明装置２００の他の実施形態を示す。図１の蛍光体増強照明装置１００と比較すると、第一光変換素子２１２は光源１１６の発光面上に設けられており、第二光変換素子２１０は蛍光体増強照明装置２００の光出口窓を形成する。第一光変換素子２１２と第二光変換素子２１０との間のギャップ２０２は、蛍光体増強光源２００のキャビティ（空洞部）である。キャビティは、第二光変換素子２１０の屈折率より低い屈折率を有する物質によって充填されている。また、光出口窓１０２の反対側にあるキャビティの内側表面２０４は、内側表面２０４に衝突する光が反射し、光出口窓に戻されてリサイクルされるよう、光反射性である。キャビティの周囲の壁も、同様の目的のために光反射性であってもよい。第一光変換素子２１２が光源１１６の発光面上に直接設けられているため、第一変換素子２１２は、比較的小さいサイズを有してもよい。周囲から衝突する光のうち、より少ない光が第一光変換素子に衝突でき、したがって、蛍光体増強照明装置２００のカラー外観は低減される。
【００５４】
図２ｂは、二つの層からなるスタックとして製造された第二光変換素子２５２を有する、蛍光体増強照明装置２５０の変形例を示す。スタックの第一層２５４は第一の有機発光体を含み、第二層２５６は第二の有機発光体を含む。第一の有機発光体と第二の発光体とは異なる物質であり、各々の物質に吸収された光を他の色に変換する。したがって、蛍光体増強照明装置が作動中である場合、追加の色が光出口窓から外界（周囲）に出射される。これは、特定のカラーポイントの光を発し、比較的高い演色評価数を有する蛍光体増強照明装置を設計する上で、さらなる設計自由度を提供する。
【００５５】
第一光変換素子２１２は、無機発光体を含む。このような物質の例は、ＣｅドープＹＡＧ又はＬｕＡＧである。ＣｅドープＹＡＧは黄色がかった光を放ち、ＣｅドープＬｕＡｇは黄緑色がかった光を放つ。どちらの物質も比較的広い放出スペクトルを有し、放出スペクトルの末部は、赤色スペクトル域の波長さえ含んでもよい。第二の光変換素子２１０、２５２は、ペリレン誘導体をベースとする有機発光体を含んでもよい。ペリレン誘導体をベースとする発光体の例は、ＢＡＳＦによりＬｕｍｏｇｅｎという名称で販売されている。
【００５６】
光源１１６と、光源１１６の発光面上に設けられる第一光変換素子２１２との具体的な組み合わせは、いわゆるディスプレイ（表示）ＬＥＤ（Ｌｉｇｈｔ  Ｅｍｉｓｓｉｏｎ  Ｄｉｏｄｅ）でもよい。ディスプレイＬＥＤの光源１１６は、青色の光を出射し、第一光変換素子２１２は、青色の光の比較的小部分を黄色又は黄緑色の光に変換する。これによってもたらされる、光源によって出射された青色の光と、無機発光体によって出射された黄色又は黄緑色の光との組み合わせである発光は、色空間の黒体線に近いカラーポイントを有し、１００００Ｋ以上の相関色温度を有する。このような発光を得るために、青色発光ＬＥＤの上部に使用する必要があるのは比較的薄い無機発光体の層のみであり、光学効率が高い。無機発光体の薄層は、あまり多くの青色光を反射又は散乱してＬＥＤに戻さず、黄色又は黄緑色の光は、あまり多くＬＥＤの方に出射されない。ＬＥＤは、一般的に自身に衝突する光をあまり多く反射しないため、反射若しくは散乱してＬＥＤに戻された光、又はＬＥＤの方に出射された光のほとんどが、ＬＥＤと無機発光層との組み合わせの非効率につながる。光源１１６と第一光変換素子２１２との組み合わせの光学パッケージ効率は、８０％より大きく、他の実施形態においては、９０％より大きい。
【００５７】
なお、二つの有機発光体が用いられる場合、それらは、一つの層、例えば図２ａの第二光変換素子２１０層内で混合されてもよい。他の実施形態においては、二つより多くの有機発光体が用いられており、それらは、一つの層内、又は二つ以上の層を有するスタック内において、あらゆる組み合わせで混合してもよい。
【００５８】
図３ａ、３ｂは、光源１１６から光出口窓１０２に向かう、折れ曲がった光路３０４、３５４を有する蛍光体増強照明装置の断面図を示す。光路３０４、３５４内には、少なくとも一つのミラー３０２、３５２が存在する。
【００５９】
蛍光体増強照明装置３００は、光源１１６と第一光変換素子２１２との組み合わせの上部に配置されたミラー３０２を有する。ミラー３０２は、受光した光を、蛍光体増強照明装置３００の底面上、光源１１６の横に配置された第二光変換素子１１０に向けて反射する。第二光変換素子１１０に衝突する光、及び第二光変換素子１１０内で生成される光が光出口窓１０２に向けて反射されるよう、第二変換素子１１０の下面は反射性である。
【００６０】
蛍光体増強照明装置３５０の光出口窓１０２は、蛍光体増強照明装置３５０の側面に配置されている。蛍光体増強照明装置３００のキャビティにおいて、第二光変換素子１１０でコーティングされたミラー３５２は、光源１１６が載置される蛍光体増強照明装置の底面に対して特定の角度で配置される。
【００６１】
図４ａは、蛍光体増強照明装置４００の他の実施形態の断面図を概略的に示す。複数の光源１１６が、底面４０２上に設けられている。各光源１１６上には、無機発光体を含む第一光変換素子２１２が備えられている。また、第一光変換素子２１２からいくらかの距離をおいて、第一有機発光体を含む第二光変換素子２１０が設けられている。第二光変換素子２１０は、蛍光体増強照明装置４００の光出口窓１０２を形成する。蛍光体増強照明装置４００は、左右にさらに広がっている。
【００６２】
図４ｂは、蛍光体増強照明装置４３０の他の変形例を概略的に示す。第二光変換素子２１０上には、散乱粒子４３４を有する拡散層４３２が設けられている。散乱層４３２は、光出口窓１０２を形成する。拡散層４３２は、より良い色混合、及び拡散光出射を提供する。また、光源１１６が作動しておらず、周囲光が散乱層４３２に衝突する場合、周囲光の大部分が散乱、反射され、周囲に戻される。したがって、第一光変換素子２１２に衝突する周囲光は少量であり、結果として、蛍光体増強照明装置４３０のカラー外観は低減する。拡散層は、Ｔｉ０２又はＡ１２０３からなる散乱粒子を含んでもよい。
【００６３】
この段落では、三層からなる第二光変換素子を有し、相関色温度が２００００ＫであるディスプレイＬＥＤ（Ｌｉｇｈｔ  Ｅｍｉｔｔｉｎｇ  Ｄｉｏｄｅ）を備える蛍光体増強照明装置の例を二つ提供する。ディスプレイＬＥＤは、青色ＬＥＤと、ディスプレイＬＥＤの発光面上のＣｅドープＹＡＧ又はＣＥドープＬｕＡＧ薄層とを有する。第一の実施形態においては、三層からなるスタックは、光出口窓側に、厚さ６０μｍ、Ｔｉ０２粒子を１０ｗｔ％含むＰＭＭＡの拡散層を有する。中央の層は、厚さが２７μｍであり、Ｌｕｍｏｇｅｎ  Ｙｅｌｌｏｗ  ｆｌ７０（ＢＡＳＦ販売ペリレン誘導体）を０．１ｗｔ％含む。ディスプレイＬＥＤに最も近いスタックの層は、厚さが同じく２７μｍであり、Ｌｕｍｏｇｅｎ  Ｒｅｄ  ｆ３０５を０．０２５ｗｔ％含む。第二の実施形態において、三層からなるスタックは、光出口窓側に、厚さ６０μｍ、Ｔｉ０２粒子を１０ｗｔ％含むＰＭＭＡの拡散層を有する。中央の層は、厚さが５４μｍで、Ｌｕｍｏｇｅｎ  Ｙｅｌｌｏｗ  ｆｌ７０（ＢＡＳＦ販売ペリレン誘導体）を０．１ｗｔ％含む。ディスプレイＬＥＤに最も近いスタックの層は、厚さが同様に２７μｍで、Ｌｕｍｏｇｅｎ  Ｒｅｄ  ｆ３０５を０．０５ｗｔ％含む。第一実施形態の三層スタックを有する蛍光体増強照明装置は、約４０００Ｋの光を出射し、８０より大きい演色評価数（Ｃｏｌｏｒ  Ｒｅｎｄｅｒｉｎｇ  Ｉｎｄｅｘ：ＣＲＩ）を有する。第二実施形態の三層スタックを有する蛍光体増強照明装置は、約３０００Ｋの光を出射し、８０より大きいＣＲＩを有する。
【００６４】
図４ｃは、図４ｂの蛍光体増強照明装置とわずかに異なる、他の蛍光体増強照明装置４６０の断面図を概略的に示す。蛍光体増強照明装置４６２は、散乱粒子を有する別個の層の代わりに、第二光変換素子４６２内に散乱粒子を有する。
【００６５】
図５ａは、蛍光体増強照明装置５００の他の実施形態の断面図を概略的に示す。蛍光体増強照明装置５００は、図２ａの蛍光体増強照明装置２００と類似しており、違いは、発光面上に第一光変換素子２１２を有する光源１１６を一つ以上設ける点に関する。図５ｂは、底面４０２と第二光変換素子２１０との間に挿入された壁５５４を備える、他の蛍光体増強照明装置５５０を示す。壁は、各光源１１６のまわりに別々のキャビティ５５６、５５２をつくる。
【００６６】
図６ａは、本発明の第二の側面に係るレトロフィット電球６００、６１０の断面図を示す。レトロフィット電球６１０は、概略的に長方形で描かれた、蛍光体増強照明装置６１２を備える。この長方形は、例えば図２ａの蛍光体増強照明装置２００のボックスを示す。他の実施形態においては、光源６０６は、電球６００内、電球６００の底面６０８上に設けられる。光源６０６の発光面上には、第一変換素子６０４が設けられている。第一光変換素子６０４は、無機発光体を含む。電球の内側表面には、第一の有機発光体を含む第二光変換素子６０２が設けられている。無機発光体及び第一の有機発光体は、前述した図面で説明したものと同様な特徴、機能、及び利点を有する。第一光変換素子６０４と第二光変換素子６０２との間のギャップは、電球内の空間によって形成される。
【００６７】
図６ｂは、管電球６３０、６４０の二つの実施形態の断面図を示す。管電球６４０は、管をたどる方向に、複数の蛍光体増強照明装置６１２を有する。管電球６３０の他の実施形態は、管をたどる方向に、複数の光源６０６を有する。各光源６０６の上面には、第一光変換素子６０４が設けられている。管の内側表面には、第二光変換素子６０２が設けられている。第一光変換素子６０４及び第二光変換素子６０６は、上述の図面に関連して説明された第一光変換素子及び第二光変換素子と類似した特徴、利点、及び機能を有する。
【００６８】
図６ｃは、本発明の第一の側面に係る蛍光体増強照明装置６６２を一つ又は複数備える照明器具６６０を示す。他の実施形態においては、照明器具は、図６ａの文脈において説明したレトロフィット電球を有してもよく、図６ｂの文脈で説明した管電球を有してもよい。
【００６９】
上記の実施形態は本発明を限定ではなく説明し、当業者は、添付の特許請求の範囲を逸脱することなく多数の代替的な実施形態を設計しうることに留意されたい。
【００７０】
特許請求の範囲において、括弧内のいかなる参照符号も特許請求の範囲を制限すると解釈されるべきではない。「有する（又は含む、備える）」という動詞及びその活用形の使用は、請求項内に記された以外の要素又は工程の存在を除外しない。要素は複数を除外しない。いくつかの手段を列挙する装置クレームにおいては、それらの手段のうちのいくつかは、ハードウェアの同一の項目によって実現されてもよい。いくつかの手段が互いに異なる独立請求項に記載されているからといって、それらの手段の組み合わせを好適に使用できないとは限らない。
【図１ａ】
2014514773.tif 000003
【図１ｂ】
2014514773.tif 000004
【図２ａ】
2014514773.tif 000005
【図２ｂ】
2014514773.tif 000006
【図３ａ】
2014514773.tif 000007
【図３ｂ】
2014514773.tif 000008
【図４ａ】
2014514773.tif 000009
【図４ｂ】
2014514773.tif 000010
【図４ｃ】
2014514773.tif 000011
【図５ａ】
2014514773.tif 000012
【図５ｂ】
2014514773.tif 000013
【図６ａ】
2014514773.tif 000014
【図６ｂ】
2014514773.tif 000015
【図６ｃ】
2014514773.tif 000016
【国際調査報告】
2014514773.tif 000017
2014514773.tif 000018
2014514773.tif 000019